(57)【特許請求の範囲】
【請求項１】
送信するディジタル信号の電力が変動状態にあるか否かを判定する判定手段と、
前記ディジタル信号の電力に応じた増幅利得を用いて前記ディジタル信号の電力を増幅する増幅手段と、
前記増幅手段によって増幅された後のディジタル信号をアナログ信号に変換する変換手段と、
前記変換手段によって変換されたアナログ信号の電力を減衰させる減衰手段と、を有し、
前記増幅手段は、
前記判定手段において前記ディジタル信号の電力が変動状態にあると判定された場合、前記ディジタル信号の電力を一定の増幅利得を用いて増幅する、
ことを特徴とする無線送信装置。
【請求項２】
前記判定手段は、
前記ディジタル信号の電力が変動する回数を所定の期間において計数する計数部を有し、
前記計数部によって計数された変動回数が予め設定された閾値以上である場合、前記ディジタル信号の電力が変動状態にあると判定する、
ことを特徴とする請求項１記載の無線送信装置。
【請求項３】
前記判定手段は、
前記ディジタル信号の電力が変動する回数を所定の期間において計数する計数部を有し、
前記計数部によって計数された変動回数が予め設定された閾値以下である場合、前記ディジタル信号の電力が変動状態にないと判定する、
ことを特徴とする請求項１記載の無線送信装置。
【請求項４】
前記判定手段は、
前記ディジタル信号の電力が変動する回数を所定の時点から計数する計数部を有し、
前記計数部によって計数された変動回数が予め設定された閾値以上となった時点で前記ディジタル信号の電力が変動状態にあると判定する、
ことを特徴とする請求項１記載の無線送信装置。
【請求項５】
前記判定手段は、
前記ディジタル信号の電力が一定時間全く変動しない場合、前記ディジタル信号の電力が変動状態にないと判定する、
ことを特徴とする請求項１記載の無線送信装置。
【請求項６】
送信するディジタル信号に予め含まれる情報に基づいて前記ディジタル信号の電力が変動状態にあるか否かを判定する判定手段と、
前記ディジタル信号の電力を測定する測定手段と、
前記測定手段によって測定された電力に応じた増幅利得を用いて前記ディジタル信号の電力を増幅する増幅手段と、
前記増幅手段によって増幅された後のディジタル信号をアナログ信号に変換する変換手段と、
前記変換手段によって変換されたアナログ信号の電力を減衰させる減衰手段と、を有し、
前記増幅手段は、
前記判定手段において前記ディジタル信号の電力が変動状態にあると判定された場合、前記ディジタル信号の電力を一定の増幅利得を用いて増幅する、
ことを特徴とする無線送信装置。
【請求項７】
前記ディジタル信号に予め含まれる情報は、前記ディジタル信号の電力の設定値であることを特徴とする請求項６記載の無線送信装置。
【請求項８】
前記判定手段は、
前記ディジタル信号の電力の変動がないことを予め報知された場合、前記ディジタル信号の電力が変動状態にあるか否かを判定しない、
ことを特徴とする請求項１から請求項７のいずれかに記載の無線送信装置。
【請求項９】
前記増幅手段は、
前記ディジタル信号の電力が測定される度に、この測定された電力に応じた増幅利得を算出する算出部と、
前記ディジタル信号の電力が変動状態にあるか否かを判定する期間において前記算出部によって算出された複数の増幅利得の中から増幅利得の最小値を検出する検出部と、を有し、
前記検出部によって検出された増幅利得の最小値を前記一定の増幅利得とする、
ことを特徴とする請求項１から請求項８のいずれかに記載の無線送信装置。
【請求項１０】
送信するディジタル信号の電力算出値にＩＩＲフィルタ処理を行うフィルタと、
前記ＩＩＲフィルタ処理後の電力算出値に基づいてＩＩＲフィルタ処理前の前記ディジタル信号の電力を増幅させる増幅手段と、
前記増幅手段によって増幅された後のディジタル信号をアナログ信号に変換する変換手段と、
前記変換手段によって変換されたアナログ信号の電力を減衰させる減衰手段と、
を有することを特徴とする無線送信装置。
【請求項１１】
請求項１から請求項１０のいずれかに記載の無線送信装置を有することを特徴とする通信端末装置。
【請求項１２】
請求項１から請求項１０のいずれかに記載の無線送信装置を有することを特徴とする基地局装置。
【請求項１３】
送信するディジタル信号の電力が変動状態にあるか否かを判定する判定ステップと、
前記ディジタル信号の電力に応じた増幅利得を用いて前記ディジタル信号の電力を増幅する増幅ステップと、
前記増幅ステップによって増幅された後のディジタル信号をアナログ信号に変換する変換ステップと、
前記変換ステップによって変換されたアナログ信号の電力を減衰させる減衰ステップと、を有し、
前記増幅ステップは、
前記判定ステップにおいて前記ディジタル信号の電力が変動状態にあると判定された場合、前記ディジタル信号の電力を一定の増幅利得を用いて増幅する、
ことを特徴とする無線送信方法。
【請求項１４】
送信するディジタル信号に予め含まれる情報に基づいて前記ディジタル信号の電力が変動状態にあるか否かを判定する判定ステップと、
前記ディジタル信号の電力を測定する測定ステップと、
前記測定ステップによって測定された電力に応じた増幅利得を用いて前記ディジタル信号の電力を増幅する増幅ステップと、
前記増幅ステップによって増幅された後のディジタル信号をアナログ信号に変換する変換ステップと、
前記変換ステップによって変換されたアナログ信号の電力を減衰させる減衰ステップと、を有し、
前記増幅ステップは、
前記判定ステップにおいて前記ディジタル信号の電力が変動状態にあると判定された場合、前記ディジタル信号の電力を一定の増幅利得を用いて増幅する、
ことを特徴とする無線送信方法。
【請求項１５】
送信するディジタル信号の電力算出値にＩＩＲフィルタ処理を行うステップと、
前記ＩＩＲフィルタ処理後の電力算出値に基づいて前記ＩＩＲフィルタ処理前の前記ディジタル信号の電力を増幅させる増幅ステップと、
前記増幅ステップによって増幅された後のディジタル信号をアナログ信号に変換する変換ステップと、
前記変換ステップによって変換されたアナログ信号の電力を減衰させる減衰ステップと、
を有することを特徴とする無線送信方法。
【請求項１６】
送信するディジタル信号の電力が変動状態にあるか否かを判定する判定ステップと、
前記ディジタル信号の電力に応じた増幅利得を用いて前記ディジタル信号の電力を増幅する増幅ステップと、
前記増幅ステップによって増幅された後のディジタル信号をアナログ信号に変換する変換ステップと、
前記変換ステップによって変換されたアナログ信号の電力を減衰させる減衰ステップと、をコンピュータに実行させ、
前記増幅ステップは、
前記判定ステップにおいて前記ディジタル信号の電力が変動状態にあると判定された場合、前記ディジタル信号の電力を一定の増幅利得を用いて増幅する、
ことを特徴とする無線送信プログラム。
【請求項１７】
送信するディジタル信号に予め含まれる情報に基づいて前記ディジタル信号の電力が変動状態にあるか否かを判定する判定ステップと、
前記ディジタル信号の電力を測定する測定ステップと、
前記測定ステップによって測定された電力に応じた増幅利得を用いて前記ディジタル信号の電力を増幅する増幅ステップと、
前記増幅ステップによって増幅された後のディジタル信号をアナログ信号に変換する変換ステップと、
前記変換ステップによって変換されたアナログ信号の電力を減衰させる減衰ステップと、をコンピュータに実行させ、
前記増幅ステップは、
前記判定ステップにおいて前記ディジタル信号の電力が変動状態にあると判定された場合、前記ディジタル信号の電力を一定の増幅利得を用いて増幅する、
ことを特徴とする無線送信プログラム。
【請求項１８】
送信するディジタル信号の電力算出値にＩＩＲフィルタ処理を行うステップと、
前記ＩＩＲフィルタ処理後の電力算出値に基づいて前記ＩＩＲフィルタ処理前の前記ディジタル信号の電力を増幅させる増幅ステップと、
前記増幅ステップによって増幅された後のディジタル信号をアナログ信号に変換する変換ステップと、
前記変換ステップによって変換されたアナログ信号の電力を減衰させる減衰ステップと、
をコンピュータに実行させることを特徴とする無線送信プログラム。
【発明の詳細な説明】
【０００１】
【発明の属する技術分野】
本発明は、無線通信システムにおける無線送信装置および無線送信方法に関する。
【０００２】
【従来の技術】
従来の無線送信装置は、送信データを変調し、拡散し、多重し、ゲイン調整をして、Ｄ／Ａ変換等の所定の無線処理を施した後に、減衰させて、アンテナから無線送信する。
【０００３】
【発明が解決しようとする課題】
しかしながら、従来の装置においては、送信信号がＰＤＳＣＨ（Ｐｈｙｓｉｃａｌ  Ｄｏｗｎｌｉｎｋ  Ｓｈａｒｅｄ  Ｃｈａｎｎｅｌ）のようなバースト信号であると、送信信号の電力変動が頻繁に生じ、無線処理を施す前のゲイン調整量の変動が大きくなる。その結果、ゲインの切り替えに伴って生じる送信信号の瞬断が頻繁に発生し、変調精度および隣接チャネル漏洩電力減衰比を劣化させるという問題がある。
【０００４】
本発明は、かかる点に鑑みてなされたものであり、送信ディジタル信号の電力変動によるゲインの過剰な切り替え動作を抑え、変調精度および隣接チャネル漏洩電力減衰比の劣化を抑えることができる無線送信装置および無線送信方法を提供することを目的とする。
【０００５】
【課題を解決するための手段】
本発明の無線送信装置は、送信するディジタル信号の電力が変動状態にあるか否かを判定する判定手段と、前記ディジタル信号の電力に応じた増幅利得を用いて前記ディジタル信号の電力を増幅する増幅手段と、前記増幅手段によって増幅された後のディジタル信号をアナログ信号に変換する変換手段と、前記変換手段によって変換されたアナログ信号の電力を減衰させる減衰手段と、を有し、前記増幅手段は、前記判定手段において前記ディジタル信号の電力が変動状態にあると判定された場合、前記ディジタル信号の電力を一定の増幅利得を用いて増幅する構成を採る。
【０００６】
この構成によれば、バースト信号が送信される場合のように送信ディジタル信号の電力が変動状態になるときに、無線処理を施す前の送信信号を増幅する際の増幅利得（ゲイン）を一定の値に固定し、無線処理が施された後の送信信号を減衰させるため、ゲインの過剰な切り替え動作を抑えることができ、変調精度および隣接チャネル漏洩電力減衰比の劣化を抑えることができる。
【０００７】
本発明の無線送信装置は、上記の構成において、前記判定手段は、前記ディジタル信号の電力が変動する回数を所定の期間において計数する計数部を有し、前記計数部によって計数された変動回数が予め設定された閾値以上である場合、前記ディジタル信号の電力が変動状態にあると判定する構成を採る。
【０００８】
この構成によれば、所定の期間にわたって送信信号の電力値を観測するため、送信ディジタル信号の電力が変動状態であることを精度良く検出することができ、一時的な電力の変動に反応してゲインが調整されることを防止することができる。
【０００９】
本発明の無線送信装置は、上記の構成において、前記判定手段は、前記ディジタル信号の電力が変動する回数を所定の期間において計数する計数部を有し、前記計数部によって計数された変動回数が予め設定された閾値以下である場合、前記ディジタル信号の電力が変動状態にないと判定する構成を採る。
【００１０】
この構成によれば、所定の期間にわたって送信信号の電力値を観測するため、送信ディジタル信号の電力が変動状態でないことを精度良く検出することができ、一時的な電力の変動に反応してゲインが調整されることを防止することができる。
【００１１】
本発明の無線送信装置は、上記の構成において、前記判定手段は、前記ディジタル信号の電力が変動する回数を所定の時点から計数する計数部を有し、前記計数部によって計数された変動回数が予め設定された閾値以上となった時点で前記ディジタル信号の電力が変動状態にあると判定する構成を採る。
【００１２】
この構成によれば、送信信号の電力値の変動回数が閾値以上となった時点で速やかに電力が変動状態にあると判定するため、瞬時の電力変動に対しても追随して検出することができる。
【００１３】
本発明の無線送信装置は、上記の構成において、前記判定手段は、前記ディジタル信号の電力が一定時間全く変動しない場合、前記ディジタル信号の電力が変動状態にないと判定する構成を採る。
【００１４】
この構成によれば、一定時間送信信号の電力が変動しない場合、変動状態にないと判定するため、この時間を妥当な値に設定することにより、電力変動を伴う信号が送信されなくなった場合に、速やかに送信ディジタル信号の電力が変動状態にないと判定することができる。
【００１５】
本発明の無線送信装置は、送信するディジタル信号に予め含まれる情報に基づいて前記ディジタル信号の電力が変動状態にあるか否かを判定する判定手段と、前記ディジタル信号の電力を測定する測定手段と、前記測定手段によって測定された電力に応じた増幅利得を用いて前記ディジタル信号の電力を増幅する増幅手段と、前記増幅手段によって増幅された後のディジタル信号をアナログ信号に変換する変換手段と、前記変換手段によって変換されたアナログ信号の電力を減衰させる減衰手段と、を有し、前記増幅手段は、前記判定手段において前記ディジタル信号の電力が変動状態にあると判定された場合、前記ディジタル信号の電力を一定の増幅利得を用いて増幅する構成を採る。
【００１６】
この構成によれば、送信電力の測定とは別個に、送信信号に含まれる情報から直接電力変動を伴う信号か否かを判定するため、より正確に電力変動を判定することができ、また、電力測定を待たずに判定が可能なため、迅速な電力変動の判定をすることができる。
【００１７】
本発明の無線送信装置は、上記の構成において、前記ディジタル信号に予め含まれる情報は、前記ディジタル信号の電力の設定値である構成を採る。
【００１８】
この構成によれば、送信電力を測定する前の送信信号の電力設定値から電力変動を伴う信号か否かを判定するため、より正確に電力変動を判定することができる。
【００１９】
本発明の無線送信装置は、上記の構成において、前記判定手段は、前記ディジタル信号の電力の変動がないことを予め報知された場合、前記ディジタル信号の電力が変動状態にあるか否かを判定しない構成を採る。
【００２０】
この構成によれば、電力変動がないと予めわかっている場合に、電力判定を停止するため、誤判定を確実に防ぐことができる。
【００２１】
本発明の無線送信装置は、上記の構成において、前記増幅手段は、前記ディジタル信号の電力が測定される度に、この測定された電力に応じた増幅利得を算出する算出部と、前記ディジタル信号の電力が変動状態にあるか否かを判定する期間において前記算出部によって算出された複数の増幅利得の中から増幅利得の最小値を検出する検出部と、を有し、前記検出部によって検出された増幅利得の最小値を前記一定の増幅利得とする構成を採る。
【００２２】
この構成によれば、電力値が測定される度に求まるゲインのうち、電力変動の判定期間における最小値を用いて送信信号の電力を増幅させるため、ゲインが過大に設定されることを防止することができ、送信無線部への過入力を防ぐことができる。
【００２３】
本発明の無線送信装置は、送信するディジタル信号の電力算出値にＩＩＲフィルタ処理を行うフィルタと、前記ＩＩＲフィルタ処理後の電力算出値に基づいてＩＩＲフィルタ処理前の前記ディジタル信号の電力を増幅させる増幅手段と、前記増幅手段によって増幅された後のディジタル信号をアナログ信号に変換する変換手段と、前記変換手段によって変換されたアナログ信号の電力を減衰させる減衰手段と、を有する構成を採る。
【００２４】
この構成によれば、ＩＩＲフィルタ処理で信号電力の過大な変動を抑えるため、ゲインの過剰な切り替え動作を抑えることができ、変調精度および隣接チャネル漏洩電力減衰比の劣化を抑えることができる。
【００２５】
本発明の通信端末装置は、上記いずれかに記載の無線送信装置を有する構成を採る。
【００２６】
この構成によれば、上記と同様の作用効果を有する通信端末装置を提供することができる。
【００２７】
本発明の基地局装置は、上記いずれかに記載の無線送信装置を有する構成を採る。
【００２８】
この構成によれば、上記と同様の作用効果を有する基地局装置を提供することができる。
【００２９】
本発明の無線送信方法は、送信するディジタル信号の電力が変動状態にあるか否かを判定する判定ステップと、前記ディジタル信号の電力に応じた増幅利得を用いて前記ディジタル信号の電力を増幅する増幅ステップと、前記増幅ステップによって増幅された後のディジタル信号をアナログ信号に変換する変換ステップと、前記変換ステップによって変換されたアナログ信号の電力を減衰させる減衰ステップと、を有し、前記増幅ステップは、前記判定ステップにおいて前記ディジタル信号の電力が変動状態にあると判定された場合、前記ディジタル信号の電力を一定の増幅利得を用いて増幅するようにした。
【００３０】
この方法によれば、バースト信号が送信される場合のように送信ディジタル信号の電力が変動状態になるときに、無線処理を施す前の送信信号を増幅する際のゲインを一定の値に固定し、無線処理が施された後の送信信号を減衰させるため、ゲインの過剰な切り替え動作を抑えることができ、変調精度および隣接チャネル漏洩電力減衰比の劣化を抑えることができる。
【００３１】
本発明の無線送信方法は、送信するディジタル信号に予め含まれる情報に基づいて前記ディジタル信号の電力が変動状態にあるか否かを判定する判定ステップと、前記ディジタル信号の電力を測定する測定ステップと、前記測定ステップによって測定された電力に応じた増幅利得を用いて前記ディジタル信号の電力を増幅する増幅ステップと、前記増幅ステップによって増幅された後のディジタル信号をアナログ信号に変換する変換ステップと、前記変換ステップによって変換されたアナログ信号の電力を減衰させる減衰ステップと、を有し、前記増幅ステップは、前記判定ステップにおいて前記ディジタル信号の電力が変動状態にあると判定された場合、前記ディジタル信号の電力を一定の増幅利得を用いて増幅するようにした。
【００３２】
この方法によれば、送信電力の測定とは別個に、送信信号に含まれる情報から直接電力変動を伴う信号か否かを判定するため、より正確に電力変動を判定することができ、また、電力測定を待たずに判定が可能なため、迅速な電力変動の判定ができる。
【００３３】
本発明の無線送信方法は、送信するディジタル信号の電力算出値にＩＩＲフィルタ処理を行うステップと、前記ＩＩＲフィルタ処理後の電力算出値に基づいて前記ＩＩＲフィルタ処理前の前記ディジタル信号の電力を増幅させる増幅ステップと、前記増幅ステップによって増幅された後のディジタル信号をアナログ信号に変換する変換ステップと、前記変換ステップによって変換されたアナログ信号の電力を減衰させる減衰ステップと、を有するようにした。
【００３４】
この方法によれば、ＩＩＲフィルタ処理で信号電力の過大な変動を抑えるため、ゲインの過剰な切り替え動作を抑えることができ、変調精度および隣接チャネル漏洩電力減衰比の劣化を抑えることができる。
【００３５】
本発明の無線送信プログラムは、送信するディジタル信号の電力が変動状態にあるか否かを判定する判定ステップと、前記ディジタル信号の電力に応じた増幅利得を用いて前記ディジタル信号の電力を増幅する増幅ステップと、前記増幅ステップによって増幅された後のディジタル信号をアナログ信号に変換する変換ステップと、前記変換ステップによって変換されたアナログ信号の電力を減衰させる減衰ステップと、をコンピュータに実行させ、前記増幅ステップは、前記判定ステップにおいて前記ディジタル信号の電力が変動状態にあると判定された場合、前記ディジタル信号の電力を一定の増幅利得を用いて増幅するようにした。
【００３６】
このプログラムによれば、バースト信号が送信される場合のように送信ディジタル信号の電力が変動状態になるときに、無線処理を施す前の送信信号を増幅する際のゲインを一定の値に固定し、無線処理が施された後の送信信号を減衰させるため、ゲインの過剰な切り替え動作を抑えることができ、変調精度および隣接チャネル漏洩電力減衰比の劣化を抑えることができる。
【００３７】
本発明の無線送信プログラムは、送信するディジタル信号に予め含まれる情報に基づいて前記ディジタル信号の電力が変動状態にあるか否かを判定する判定ステップと、前記ディジタル信号の電力を測定する測定ステップと、前記測定ステップによって測定された電力に応じた増幅利得を用いて前記ディジタル信号の電力を増幅する増幅ステップと、前記増幅ステップによって増幅された後のディジタル信号をアナログ信号に変換する変換ステップと、前記変換ステップによって変換されたアナログ信号の電力を減衰させる減衰ステップと、をコンピュータに実行させ、前記増幅ステップは、前記判定ステップにおいて前記ディジタル信号の電力が変動状態にあると判定された場合、前記ディジタル信号の電力を一定の増幅利得を用いて増幅するようにした。
【００３８】
このプログラムによれば、送信電力の測定とは別個に、送信信号に含まれる情報から直接電力変動を伴う信号か否かを判定するため、より正確に電力変動を判定することができ、また、電力測定を待たずに判定が可能なため、迅速な電力変動の判定をすることができる。
【００３９】
本発明の無線送信プログラムは、送信するディジタル信号の電力算出値にＩＩＲフィルタ処理を行うステップと、前記ＩＩＲフィルタ処理後の電力算出値に基づいて前記ＩＩＲフィルタ処理前の前記ディジタル信号の電力を増幅させる増幅ステップと、前記増幅ステップによって増幅された後のディジタル信号をアナログ信号に変換する変換ステップと、前記変換ステップによって変換されたアナログ信号の電力を減衰させる減衰ステップと、をコンピュータに実行させるようにした。
【００４０】
このプログラムによれば、ＩＩＲフィルタ処理で信号電力の過大な変動を抑えるため、ゲインの過剰な切り替え動作を抑えることができ、変調精度および隣接チャネル漏洩電力減衰比の劣化を抑えることができる。
【００４１】
【発明の実施の形態】
本発明の骨子は、ＰＤＳＣＨのようなバースト信号が送信されることにより、送信ディジタル信号の電力が変動状態になる場合には、無線処理を施す前の送信信号に乗じるゲインを一定の値に固定することである。
【００４２】
以下、本発明の実施の形態について、図面を参照して詳細に説明する。
【００４３】
（実施の形態１）
図１は、本発明の実施の形態１に係る無線送信装置の構成の一例を示すブロック図である。ここでは、ＣＤＭＡ（Ｃｏｄｅ  Ｄｉｖｉｓｉｏｎ  Ｍｕｌｔｉｐｌｅ  Ａｃｃｅｓｓ）方式の無線送信装置を基地局装置に搭載した場合を例にとって説明する。
【００４４】
図１において、送信フレーム作成部１０１ａ、１０１ｂ、および１０１ｃは、送信データ１、送信データ２、および送信データ３から送信フレームを作成する。変調部１０２ａ、１０２ｂ、および１０２ｃは、作成された送信フレームを変調処理し、変調信号を生成する。拡散部１０３ａ、１０３ｂ、および１０３ｃは、これらの変調信号に対し、拡散処理を行う。多重部１０４は、拡散部１０３ａ、１０３ｂ、および１０３ｃから出力された拡散変調信号を多重する。
【００４５】
電力算出部１０５は、多重部１０４から出力された多重信号の電力を算出する。バースト信号検出部１０６は、算出された信号電力値の変動から、送信信号がバースト信号か否かを検出し、検出結果をゲイン算出部１０７および減衰量算出部１０８に出力する。
【００４６】
ゲイン算出部１０７は、バースト信号検出部１０６から通知された検出結果、および電力算出部１０５で算出された信号電力に基づいて、送信信号に乗じるゲインを算出し、ゲイン乗算部１０９および減衰量算出部１０８に出力する。
【００４７】
減衰量算出部１０８は、バースト信号検出部１０６から通知された検出結果、およびゲイン算出部１０７で算出されたゲインに基づいて、減衰量を算出し、減衰部１１１に出力する。
【００４８】
ゲイン乗算部１０９は、多重部１０４から出力された多重信号にゲイン算出部１０７で算出されたゲインを乗算する。送信無線部１１０は、ゲイン乗算後の信号に対し、直交変調等の所定の無線処理を施す。減衰部１１１は、減衰量算出部１０８で算出された減衰量を用いて、送信無線部から出力される信号の電力を減衰させる。アンテナ１１２は、この無線信号を送信する。
【００４９】
次いで、上記構成を有する無線送信装置の電力増幅および電力減衰の動作について詳しく説明する。
【００５０】
本発明の特徴は、バースト信号検出部１０６においてバースト信号が検出された場合と検出されない場合で、ゲイン乗算部１０９で乗算されるゲイン、および減衰部１１１で使用される減衰量が異なることである。
【００５１】
バースト信号検出部１０６は、電力算出部１０５で算出された電力について、ある一定の観測期間において電力変動が発生した回数を計数し、間接的に、電力変動に伴い減衰部１１１で減衰量が切り替わる状況となった回数を計数する。そして、この切り替わり回数が予め設定された閾値以上の場合、バースト信号検出部１０６は、送信信号がバースト信号であると判断し、バースト信号を検出したという検出結果を、ゲイン算出部１０７及び減衰量算出部１０８に出力する。一方、切り替わり回数が閾値より少なかった場合、送信信号がバースト信号でないと判断し、バースト信号を検出しなかったという検出結果を、ゲイン算出部１０７及び減衰量算出部１０８に出力する。
【００５２】
まず、バースト信号検出部１０６が、送信信号をバースト信号でないと判断した場合の動作を説明する。
【００５３】
ゲイン算出部１０７は、電力算出部１０５で算出された電力に基づいて送信無線部１１０に入力される信号の電力が一定範囲に収まるようなゲインを算出し、ゲイン乗算部１０９及び減衰量算出部１０８に出力する。
【００５４】
ゲイン乗算部１０９は、多重部１０４から出力された多重信号に対して、ゲイン算出部１０７で算出されたゲインを乗算し、電力を増幅し、送信無線部１１０に出力する。
【００５５】
減衰量算出部１０８は、ゲイン算出部１０７で算出されたゲインに相当する減衰量を算出し、減衰部１１１に出力する。例えば、ゲイン算出部１０７で算出されたゲインが１０ｄＢだった場合、減衰量も１０ｄＢとなる。
【００５６】
減衰部１１１は、送信無線部１１０から出力された信号を減衰量算出部１０８で算出された減衰量を用いて減衰させ、アンテナ１１２から送信する。
【００５７】
バースト信号が検出されなかった場合には、以上の構成により、電力算出部１０５で算出された電力に応じたゲインを使用し、無線処理を施す前にゲイン調整をするため、送信無線部１１０のダイナミックレンジを有効に使うことができる。
【００５８】
次に、バースト信号検出部１０６が、送信信号をバースト信号であると判断した場合の動作を説明する。
【００５９】
ゲイン算出部１０７は、バースト信号検出部１０６からバースト信号を検出したという検出結果を受け取った場合には、一定のゲインをゲイン乗算部１０９および減衰量算出部１０８に出力する。
【００６０】
例えば、一定のゲインとしては、上記の電力変動の観測期間において、電力変動に伴いゲイン算出部１０７で算出される複数のゲインのうち、最小となるゲインが選択される。ゲインが１０ｄＢ、１２ｄＢ、１５ｄＢと算出されたときには、一定のゲインは、最小のゲインの１０ｄＢである。これにより、ゲインが過大に設定されることを防止することができ、送信無線部１１０への過入力を防ぐことができる。
【００６１】
また、報知情報により電力変動がないと予めわかっている場合には、バースト信号検出部１０６は、バースト信号の検出を停止する。これにより、バースト信号の誤検出を確実に防ぐことができる。
【００６２】
減衰量算出部１０８、ゲイン乗算部１０９、および減衰部１１１の動作については、既述の、バースト信号検出部１０６が、送信信号をバースト信号であると判断した場合と同様である。
【００６３】
図２（ａ）および図２（ｂ）は、送信信号の電力変動および減衰量の切り替わりを示した図である。ここでは、実線が送信信号の電力を示しており、点線が減衰量を、ＡＴＴ１、ＡＴＴ２、およびＡＴＴ３とした場合の減衰量切り替わりの閾値を示している。
【００６４】
ゲイン算出部１０７では、電力算出部１０５によって算出された送信信号の電力値に応じて、ゲインが決定される。これに伴い、減衰量算出部１０８では、ゲイン算出部１０７より出力されたゲインに応じて減衰量が算出される。例えば、図２（ａ）において、時刻ｔ１における電力値は、減衰量ＡＴＴ２のレンジに入っているため、このとき減衰量はＡＴＴ２と算出され、時刻ｔ２においては、電力値は、減衰量ＡＴＴ３のレンジに入っているため、減衰量はＡＴＴ３と算出される。
【００６５】
バースト信号検出部１０６において予め設定されている、切り替わり回数に対する閾値が４回だとすると、図２（ａ）において、観測周期（０〜ｔ１０）中にＡＴＴ２からＡＴＴ３への切り替え、または、ＡＴＴ３からＡＴＴ２への切り替えは合計６回発生している。従って、この場合は、切り替えが閾値４回を越えているので、観測が終了した時点（ｔ１０）でバースト信号検出部１０６からバースト信号を検出したという検出結果が、ゲイン算出部１０７及び減衰量算出部１０８に出力される。
【００６６】
また、図２（ｂ）においては、観測周期中にＡＴＴ２からＡＴＴ３への切り替え、または、ＡＴＴ３からＡＴＴ２への切り替えが合計２回発生している。従って、この場合は、切り替えが閾値４回より少ないので、観測が終了した時点（ｔ１０）でバースト信号検出部１０６からはバースト信号を検出しなかったという検出結果が、ゲイン算出部１０７及び減衰量算出部１０８に出力される。
【００６７】
上記の構成により、一時的な電力変動に反応してゲインを調整しないように、所定の期間にわたって送信信号の電力値を観測するため、バースト信号を精度良く検出することができる。
【００６８】
なお、バースト信号の検出は、信号電力の変動による減衰量の切り替え回数が所定の閾値を越えた瞬間に送信信号がバースト信号であると検出しても良い。この場合には、例えば、図２（ａ）においては、電力の変動が閾値４回に達した瞬間、すなわち、ｔ６の時点で、バースト信号検出部１０６からバースト信号を検出したという検出結果が、ゲイン算出部１０７及び減衰量算出部１０８に出力される。これにより、送信信号の電力値の変動回数が閾値以上となった時点で速やかに電力が変動状態にあると判定するため、瞬時の電力変動に対しても追随して検出することができる。
【００６９】
また、バースト信号を検出した後、信号電力の変動による減衰量が所定の回数連続して切り替わらない場合、すなわち、一定時間減衰量が切り替わらない場合には、送信信号がバースト信号ではないと判断することもできる。例えば、図２（ｂ）において、６回連続して減衰量が切り替わらなかった場合に送信信号がバースト信号ではないと判断するとすると、ｔ５の時点で、バースト信号検出部１０６からバースト信号を検出しなかったという検出結果が、ゲイン算出部１０７および減衰量算出部１０８に出力される。これにより、バースト信号が送信されなくなった場合に、瞬時にバースト信号でないということを検出することができる。
【００７０】
このように、本実施の形態によれば、送信ディジタル信号の電力が変動状態になることを、各種の判定手法により判断し、無線処理を施す前の送信信号を増幅する際のゲインを一定の値に固定し、無線処理が施された後の送信信号を減衰させる際の減衰量を一定の値に固定するため、ゲインの過剰な切り替え動作を抑えることができ、変調精度および隣接チャネル漏洩電力減衰比の劣化を抑えることができる。
【００７１】
なお、ここでは、３つの送信データを多重して送信する場合を例にとって説明したが、多重数は３つに限定されず、４つ以上でも良い。
【００７２】
また、ここでは、バースト信号の検出結果をゲイン算出部１０７および減衰量算出部１０８に出力する場合を例にとって説明しているが、減衰量算出部１０８が、常に、ゲイン算出部１０７で算出されたゲインの逆数を使用するようにすれば、ゲイン算出部１０７だけにバースト信号の検出結果を出力してもよい。
【００７３】
また、ここでは、減衰量の切り替え回数によりバースト信号検出と判断する場合を例にとって説明したが、ゲインの切り替え回数によりバースト信号検出と判断してもよい。
【００７４】
（実施の形態２）
図３は、本発明の実施の形態２に係る無線送信装置の構成の一例を示すブロック図である。なお、この無線送信装置は、図１に示す無線送信装置と同様の基本的構成を有しており、同一の構成要素には同一の符号を付し、その説明を省略する。
【００７５】
本実施の形態の特徴は、バースト信号の検出を拡散変調信号から行うことである。
【００７６】
図３において、拡散部１０３ａ、１０３ｂ、および１０３ｃは、変調信号に対して拡散変調処理を行い、多重部１０４に出力すると同時に、バースト信号検出部２０１に送信データの送信電力の設定値を出力する。
【００７７】
バースト信号検出部２０１は、拡散部１０３ａ、１０３ｂ、および１０３ｃから出力された送信電力の設定値から信号電力の変動を観測し、送信信号がバースト信号か否かを検出する。バースト信号を検出した後の動作は実施の形態１と同様である。
【００７８】
これにより、送信電力を測定する前の送信信号から、直接、電力変動を伴う信号か否かを判定するため、より正確に電力変動を判定することができる。また、電力測定を待たずに判定が可能なため、特に、電力測定に積算時間を必要とするような場合に、迅速な電力変動の判定をすることができる。
【００７９】
（実施の形態３）
図４は、本発明の実施の形態３に係る無線送信装置の構成の一例を示すブロック図である。なお、この無線送信装置は、図１に示す無線送信装置と同様の基本的構成を有しており、同一の構成要素には同一の符号を付し、その説明を省略する。
【００８０】
本実施の形態の特徴は、バースト信号検出部の代わりにＩＩＲ（Ｉｎｆｉｎｉｔｅ  Ｉｍｐｕｌｓｅ  Ｒｅｓｐｏｎｓｅ）フィルタを有することである。
【００８１】
図４において、ＩＩＲフィルタ３０１は、電力算出部１０５で算出された信号電力に対して、ＩＩＲフィルタ処理を施し、その結果をゲイン算出部１０７に出力する。以後の処理は実施の形態１と同様である。
【００８２】
図５は、ＩＩＲフィルタ処理が送信信号の電力に及ぼす効果を説明するための図である。ＩＩＲフィルタ３０１に入力された送信信号Ｓ１は、ＩＩＲフィルタ処理後、信号Ｓ２となる。点線の示すところは、図２と同様である。
【００８３】
ＩＩＲフィルタ３０１を経由することにより、送信信号は滑らかとなり、例えば、ｔ３またはｔ５における送信信号の電力は、減少して、ＡＴＴ２とＡＴＴ３の切り替え閾値を下回ることがわかる。
【００８４】
これにより、ＩＩＲフィルタ処理を施す前の送信信号を用いてゲインの算出をしたならば、減衰量の切り替えが発生してしまうようなケースにおいても、ＩＩＲフィルタ処理後の信号を使えば、減衰量の切り替えが発生しないことがわかる。
【００８５】
このように、本実施の形態によれば、バースト信号を検出した場合にゲインを一定の値に固定する代わりに、ＩＩＲフィルタ処理で信号電力の過大な変動を抑えるため、ゲインの過剰な切り替え動作を抑えることができ、変調精度および隣接チャネル漏洩電力減衰比の劣化を抑えることができる。
【００８６】
なお、本実施の形態は、実施の形態１または実施の形態２と組み合わせて実施することも可能である。
【００８７】
本発明に係る無線送信装置は、通信端末装置に搭載することが可能であり、これにより上記と同様の作用を有する通信端末装置を提供することができる。
【００８８】
なお、ここでは、本発明に係る無線送信装置が、ＣＤＭＡ方式を利用する場合を例にとって説明したが、他の移動体通信システムであっても良い。
【００８９】
【発明の効果】
以上説明したように、本発明によれば、送信ディジタル信号の電力変動によるゲインの過剰な切り替え動作を抑え、変調精度および隣接チャネル漏洩電力減衰比の劣化を抑えることができる。
【図面の簡単な説明】
【図１】本発明の実施の形態１に係る無線送信装置の構成の一例を示すブロック図
【図２】（ａ）送信信号の電力変動および減衰量の切り替わりを説明するための図
（ｂ）送信信号の電力変動および減衰量の切り替わりを説明するための図
【図３】本発明の実施の形態２に係る無線送信装置の構成の一例を示すブロック図
【図４】本発明の実施の形態３に係る無線送信装置の構成の一例を示すブロック図
【図５】ＩＩＲフィルタ処理が送信信号の電力に及ぼす効果を説明するための図
【符号の説明】
１０５  電力算出部
１０６、２０１  バースト信号検出部
１０７  ゲイン算出部
１０８  減衰量算出部
１０９  ゲイン乗算部
１１０  送信無線部
１１１  減衰部
１１２  アンテナ
３０１  ＩＩＲフィルタ
【図１】
0003576537.tif 000002
【図２】
0003576537.tif 000003
【図３】
0003576537.tif 000004
【図４】
0003576537.tif 000005
【図５】
0003576537.tif 000006